(57)【要約】医療レポートの作成を支援するソフトウェアプログラム。本ソフトウェアプログラムは、（a）予め選ばれた複数の所見とサマリセクションを含む医療レポートを電子ディスプレイに同時に表示し、（b）これら予め選ばれた複数の所見から選択された所見を医療レポートのサマリセクションに電子的に自動コピーする。
2004535002.tif 000002
【特許請求の範囲】
【請求項１】
予め選ばれた複数の所見とサマリセクションを含む医療レポートを電子ディスプレイに同時に表示するステップ；及び
前記予め選ばれた複数の所見から選択された所見を前記医療レポートの前記サマリセクションに電子的に自動コピーするステップ；
からなることを特徴とする医療レポート作成方法。
【請求項２】
請求項１記載の医療レポート作成方法であって、前記医療レポートは、さらに、複数のグループセクションを備え、各予め選ばれた所見を前記複数のグループセクションの前記予め選ばれた所見に対応するグループセクションに電子的に自動コピーすることを特徴とする医療レポート作成方法。
【請求項３】
請求項１記載の医療レポート作成方法であって、さらに：
以前に選択され、前記医療レポートの前記サマリセクションにコピーされた２回選択された予め選ばれた所見を受け取るステップ；及び
前記医療レポートの前記サマリセクションから前記２回選択された予め選ばれた所見を電子的に自動削除するステップ；
を備えることを特徴とする医療レポート作成方法。
【請求項４】
請求項１記載の医療レポート作成方法であって、さらに、利用可能な所見のリストから前記予め選ばれた所見を選択するステップを備えることを特徴とする医療レポート作成方法。
【請求項５】
請求項１記載の医療レポート作成方法であって、さらに、前記電子ディスプレイの前記医療レポートから離れた前記選択された予め選ばれた所見の隣にインディケータを表示するステップを備えることを特徴とする医療レポート作成方法。
【請求項６】
請求項５記載の医療レポート作成方法であって、さらに：
以前に選択され、前記医療レポートにコピーされた２回選択された予め選ばれた所見を受け取るステップ；
前記医療レポートの前記サマリセクションから前記２回選択された予め選ばれた所見を電子的に自動消去するステップ；及び
前記２回選択された予め選ばれた所見の隣の前記インディケータを電子的に自動消去するステップ；
を備えることを特徴とする医療レポート作成方法。
【請求項７】
請求項１記載の医療レポート作成方法であって、前記コピーするステップは、さらに、前記サマリセクションへのコピー前に、前記選択された予め選ばれた所見をより記述的な形式に変換するステップを備えることを特徴とする医療レポート作成方法。
【請求項８】
所定の所見のリストと医療レポートを電子ディスプレイに同時に表示するステップ；及び
前記リストから所定の所見が電子的に選択されると、該所定の所見を前記医療レポートに電子的に自動コピーするステップ；
からなることを特徴とする方法。
【請求項９】
コンピュータに医療レポート作成方法を実行させるコンピュータプログラムを記憶するコンピュータ読み出し可能な記憶媒体であって、前記方法は：
予め選ばれた複数の所見とサマリセクションを含む医療レポートを電子ディスプレイに同時に表示するステップ；及び
前記予め選ばれた複数の所見から選択された所見を前記医療レポートの前記サマリセクションに電子的に自動コピーするステップ；
からなることを特徴とする記憶媒体。
【請求項１０】
請求項９記載のコンピュータ読み出し可能な記憶媒体であって、前記医療レポートは、さらに、複数のグループセクションを備え、各予め選ばれた所見を前記複数のグループセクションの前記予め選ばれた所見に対応するグループセクションに電子的に自動コピーすることを特徴とする記憶媒体。
【請求項１１】
請求項９記載のコンピュータ読み出し可能な記憶媒体であって、前記方法は、さらに：
以前に選択され、前記医療レポートの前記サマリセクションにコピーされた２回選択された予め選ばれた所見を受け取るステップ；
前記医療レポートの前記サマリセクションから前記２回選択された予め選ばれた所見を電子的に自動消去するステップ；
を備えることを特徴とする記憶媒体。
【請求項１２】
請求項９記載のコンピュータ読み出し可能な記憶媒体であって、前記方法は、さらに、利用可能な所見のリストから前記予め選ばれた所見を選択するステップを備えることを特徴とする記憶媒体。
【請求項１３】
請求項９記載のコンピュータ読み出し可能な記憶媒体であって、前記方法は、さらに、前記電子ディスプレイの前記医療レポートから離れた前記選択された予め選ばれた所見の隣にインディケータを表示するステップを備えることを特徴とする記憶媒体。
【請求項１４】
請求項１３記載のコンピュータ読み出し可能な記憶媒体であって、前記方法は、さらに：
以前に選択され、前記医療レポートにコピーされた２回選択された予め選ばれた所見を受け取るステップ；
前記医療レポートの前記サマリセクションから前記２回選択された予め選ばれた所見を電子的に自動消去するステップ；及び
前記２回選択された予め選ばれた所見の隣の前記インディケータを電子的に自動消去するステップ；
を備えることを特徴とする記憶媒体。
【請求項１５】
請求項９記載のコンピュータ読み出し可能な記憶媒体であって、前記コピーするステップは、さらに、前記サマリセクションへのコピー前に、前記選択された予め選ばれた所見をより記述的な形式に変換するステップを備えることを特徴とする記憶媒体。
【請求項１６】
コンピュータに医療レポート作成方法を実行させるコンピュータプログラムを記憶するコンピュータ読み出し可能な記憶媒体であって、前記方法は：
所定の所見のリストと医療レポートを電子ディスプレイに同時に表示するステップ；及び
前記リストから所定の所見が電子的に選択されると、該所定の所見を前記医療レポートに電子的に自動コピーするステップ；
からなることを特徴とする記憶媒体。
【請求項１７】
所定の所見のリストと医療レポートを電子ディスプレイに同時に表示する手段；及び
前記リストから所定の所見が電子的に選択されると、該所定の所見を前記医療レポートに電子的に自動コピーする手段；
からなることを特徴とする装置。
【請求項１８】
予め選ばれた複数の所見とサマリセクションを含む医療レポートを電子ディスプレイに同時に表示する表示ユニット；及び
前記予め選ばれた複数の所見から選択された所見を前記医療レポートの前記サマリセクションに電子的に自動コピーする処理ユニット；
からなることを特徴とする装置。
【発明の詳細な説明】
【０００１】
患者が心エコー図のような診断手続きを経ると、検査結果がそれを読んだ医師により書かれたレポートに含められる。このレポートの作成に関するステップの１つは、もとになる診断を説明する診断所見及び/または検査に関する関連情報の選択である。これらの所見は、診察場面で出てくると予想される広い範囲の病状を説明し、特定のレポートスキームに適合するようユーザがカスタマイズすることができる記述テキストフレーズである。関連所見の集まりがレポート作成者により選ばれる。これらの所見はレポートに現れる。レポートの他のセクションには、その研究のための重要な結果のサマリが含まれる。
【０００２】
レポートは相異なるセクションに分割可能である。例えば、心エコー図レポートのグループは、左心室、右心室、三尖弁、大動脈弁、肺動脈弁、大動脈、心膜/胸膜のような心臓の異なる構成要素を含みうる。これらのグループのそれぞれは、レポートの個々の対応するセクションを含んでいるかもしれない。関連所見が各セクションと関係付けられる。
【０００３】
典型的に、レポートは上部にサマリセクションを、各グループの所見を含むグループセクションから構成されてもよい。サマリセクションは、最も重要なグループセクションの選択された所見を繰り返す。このようにして、レポートの読み手は、単にサマリセクションを読むことによりどの所見が最も重要であるかを即座に特定することができる。さらなる詳細として、読み手はすべての所見を含むグループセクションを読むことができる。
【０００４】
レポートを作成する医師は、典型的には、サマリセクションにグループセクションの特定の所見を含めたい。従来、医師がこのようなことを容易に行う方法はなかった。
【０００５】
ある所見をサマリセクションに選択的に含める従来の方法は、ある所見がサマリセクションに現れるよう予めプログラムされている。例えば、予め重要と決められた所見は自動的にサマリセクションにコピーされる。
【０００６】
しかしながら、この方法による問題は、医師が再プログラムされた所見とは別に、追加的な所見がサマリセクションに含められるべきかを決めることができるということである。また医師は、特定のケースにおいて、サマリセクションに現れるよう予めプログラムされた所見がそこに現れるべきでないと判断できる。
【０００７】
医師が上記問題点を解消できる１つの方法は、所見をサマリセクションに手で記入することによってである。しかしながら、この方法は医師にとっては負担になるものであり、タイプミスが生じる可能性もある。さらに、医師がどの所見がサマリセクションに含められるべきか初期的にはわからない場合、サマリセクションを手で編集するのに膨大な時間が費やされるかもしれない。
【０００８】
従って、必要とされるものは、医師が自ら選んだ所見に基づくサマリセクションを動的かつ負担のかからない方法で自動生成できる医療レポートの生成方法である。
【０００９】
本発明は、医師が動的かつ簡単な方法で医療レポートを生成することが可能なソフトウェアプログラムに関する。このソフトウェアプログラムは、
（a）予め選ばれた複数の所見とサマリセクションを含む個々の医療レポートを電子ディスプレイに同時に表示し、
（b）これら予め選ばれた所見から選択された各予め選ばれた所見を医療レポートのサマリセクションに電子的に自動コピーする
ことにより動作する。
【００１０】
さらに、本発明はまた、装置及びコンピュータに上記方法を実行させるコンピュータ読取り可能な記憶媒体を含む。
【００１１】
本発明の詳細は、添付された図面とともに以下の好適な実施例の説明から容易に理解されるであろう。
【００１２】
本発明の好適な実施例が詳細に参照され、その例が添付された図面の中で例示される。ここでは、同様の参照番号は同様の構成要素を参照している。
【００１３】
図１は、本発明の実施例によるソフトウェアの動作を示す画面例であり、より詳細にはレポート領域と作業領域を示す。図１を参照するに、ディスプレイは、典型的には、レポート領域１０１と作業領域１０５を備える。レポート領域は医療レポート１０３を表示する。
【００１４】
レポート選択ボックス１０２は、医師が作業を行うある特定のレポートのタイプを選ぶことを可能にする。この例では、「成人」レポートが選ばれる。しかしながら、例えば、「小児科」や「ストレス」などの他の様々なタイプのレポートが生成可能である。レポートタイプの選択はディスプレイの他の特徴やオプションを変更してもよい。例えば、レポート選択ボックス１０２においてレポートタイプの変更により、選択されたレポートに適用できるよう変更するため、以下で説明される表示される選択肢の何れかが変更されてもよい。
【００１５】
作業領域１０５は、典型的には、レポートページタブ１０７を表示してもよい。本例では、レポートタブは、情報タブ１０９、測定タブ１１１、スコアタブ１１２、インタープリットタブ１１３及びコメントタブ１１５である。レポートページタブ１０７は、医師が作業を行いたいレポートの特定部分を選択することを可能にする。例えば、情報タブ１０９では、医師は患者の氏名、年齢などの患者情報に入ることができる。これらは単なるタブの例であり、本発明はこれらの例に制限されるものではない。
【００１６】
作業領域１０５は、典型的には、セクションボタン１１７を表示してもよい。本例では、インタープリットタブ１１３が選ばれると、表示セクションボタン１１７が表示される。セクションボタン１１７は、LVセクションボタン１１９、RVセクションボタン１２１、アトリア（Atria）セクションボタン１２３、MVセクションボタン１２５、TVセクションボタン１２７、AVセクションボタン１２９、PVセクションボタン１３１、大動脈セクションボタン１３３及びPEセクションボタン１３５である。セクションボタン１１７により、医師は所望のセクションを選ぶことが可能である。本例では、各セクションは、例えば、LVは「左心室」、RVは「右心室」などのように、心臓の異なる解剖領域を表している。表示されたセクションボタン１１７は、レポート選択ボックス１０２の選択に基づく。本例では、成人レポートタイプがレポート選択ボックス１０２において現在選択されているので、セクションボタン１１７は成人レポートに関連したセクションに対応している。これらは単なるセクションの例であり、本発明はこれらの例に制限されるものでない。さらに、特定のレポートタイプのために表示されるセクションは、特定のタイプの医療レポートのより柔軟な作成が可能となるようユーザにより構成可能なものであってもよい。このような構成可能性は、医療レポート生成プログラムの他の部分、あるいは構成用の他の補助プログラムにおいて実現されうる。
【００１７】
作業領域１０５はまた、典型的には、所見グループボックス１３９を表示してもよい。本例では、所見グループボックス１３９は、LVサイズ/形状所見グループボックス１４１、LV血栓/VSD所見グループボックス１４３、LV厚さ所見グループボックス１４５、LV機能所見グループボックス１４７及びLV壁動作所見グループボックス１４９である。表示される所見グループボックス１３９は、セクションボタン１１７の何れかの押下に対応している。これらは単なる所見グループボックスの例であり、本発明はこれらの例に制限されるものではない。さらに、あるセクションのために表示される所見グループボックスは、医療レポートのより柔軟な作成を可能にするようユーザにより構成可能なものであってもよい。このような構成可能性は、医療レポート生成プログラムの他の部分、あるいは構成用の他の補助プログラムにおいて実現されうる。図２は、本発明の実施例によるソフトウェアプログラムの動作を示す画面例であり、より詳細には所見の選択を示している。ユーザが所見グループボックス１３９の１つを選択すると、選択されたグループに対し利用可能な所見のリストが表示される。ユーザが所見グループボックス１３９の１つを選択する１つの方法は、所望の所見グループボックスにマウスをあてて、左右どちらかクリックすることによってである。しかしながら、例えば、トラックボールや音声認識などのような他の選択方法が利用されてもよい。
【００１８】
医師がLV壁動作所見グループボックス１４９を選ぶと、LV壁動作所見グループの利用可能な所見のリストが表示される。図２を参照するに、利用可能な所見リスト２０２が図１のLV壁動作所見グループボックス１４９の選択により表示される。その後、医師は作成されるレポートに適用可能な所望の所見を選んでもよい。この選択は、典型的には、マウスやキーボードを使ってなされうる。本例では、中隔無運動（septal  akinesis）２０４が医師により選ばれる。選ばれた所見がハイライトされる。これらは単なる所見の例であり、本発明はこれらの例に制限されるものでない。さらに、特定のグループのために表示される所見は、医療レポートのより柔軟な作成を可能にするようユーザによる構成可能なものであってもよい。この構成可能性は、医療レポート生成プログラムの他の部分、あるいは構成用の他の補助プログラムにおいて実現されうる。図３は、本発明の実施例によるソフトウェアプログラムの動作を示す画面例であり、より詳細にはグループセクションの生成を示している。
【００１９】
図３を参照するに、レポート領域１０１は医療レポート１０３を表示する。本例で表示される医療レポートは、インタープリテーションサマリ（interpretation  summary）３０６と左心室グループセクション３０８からなる。中隔無運動が予め選択所見として医師により選ばれているので、LV壁動作所見グループボックス１４９はその内部に中隔無運動所見３１０を含む。さらに、左心室グループセクション３０８はまた中隔無運動所見３１２を表示する。LV壁動作所見グループボックス１４９に現れる中隔無運動所見３１０は左心室グループセクション３０８に表示される中隔無運動所見３１２とはやや異なって表される。典型的には、所見グループボックスにおいて使われる所見の表現はボックス内部で適応するよう短縮あるいは省略されてもよい。レポートのグループセクションで利用される所見は、典型的には、より冗長で記述的なものである。
【００２０】
図４は、本発明の実施例によるソフトウェアプログラムの動作を示す画面例であり、より詳細には様々なグループセクションからの所見のリストを示している。上述の方法を利用して医師が様々な所見コードを選択すると仮定すると、様々なグループセクションに多数の所見を含む医療レポートが作成されうる。
【００２１】
図４を参照するに、医療レポート１０３は、インタープリテーションサマリ３０６と多数のグループセクション４１３を含んでいる。グループセクション４１３は、左心室グループセクション３０８、三尖弁グループセクション４１４、大動脈弁グループセクション４１６、肺弁グループセクション４１８、大動脈４２０及び心膜/胸膜グループセクション４２２である。医療レポート１０３は、本発明の方法により作成可能なレポートの１例である。
【００２２】
ここで、LVセクションボタン１１９が押されているので、作業領域１０５に表示されるすべての所見は左心室グループセクション３０８に関するものである。LV血栓/VSDグループボックス１４３の排除不能血栓所見（can  not  exclude  thrombus  finding）４２４、LV厚さグループボックス１４５のno  LVOT障害所見４２６、及びLV壁動作グループボックス１４９の中隔無運動所見３１０が、医療レポート１０３の左心室グループセクション３０８にすべて表示される。
【００２３】
図示されていないが、医師がその他のセクションボタン１１７の何れかを押すと、対応する所見グループボックスがそのグループに対し表示される。例えば、医師がTVセクションボタン１２７を押すと、対応する所見グループボックスが、三尖弁グループセクション４１４の選択された所見をリストするため表示される。
【００２４】
図５は、ソフトウェアプログラムの動作を示す画面例であり、より詳細には、所見のインタープリテーションサマリ３０６への自動コピータグを示している。図１〜４において、インタープリテーションサマリ３０６は空欄であった。インタープリテーションサマリ３０６は、典型的には、医師が最も重要な所見を配置するセクションである。医師がインタープリテーションサマリ３０６にある所見を含めたい場合、医師が単に所望の所見を選択すると、その所見がインタープリテーションサマリ３０６に自動的に含められる。この選択は、例えば、マウスを使って所望の所見を指定し、マウスをクリックするなど様々な方法により実行されうる。しかしながら、所見をインタープリテーションサマリ３０６にコピーするのに使われる選択方法は、所見を初期的に選択するのに使われるこれまでの選択方法とは異なっているべきである。
【００２５】
図５を参照するに、医師は、インタープリテーションサマリ３０６に含めるべきものとして、LV血栓/VSDグループボックス１４３の排除不能血栓所見４２４とLV壁動作グループボックス１４９の中隔無運動所見３１０を選択したと仮定する。ソフトウェアプログラムは、この選択された所見をインタープリテーションサマリ３０６に自動的にコピーする。インタープリテーションサマリ３０６は、中隔無運動存在所見（There  is  septal  akinesis  finding）５２６と血栓排除不能所見（Thrombus  can  not  be  excluded  finding）５２８を含んでいる。医師による所見コードを手でタイプすることなく、自動コピーが電子的に実行される。この自動コピーの実現方法の１つは、選択された所見を表すデータをインタープリテーションサマリが記憶されているコンピュータの記憶領域に電子的に転送することにより行われうる。さらに、選択された所見を容易に含めたり、除いたりできるデータ構造を使って、レポートを保存することができる。例えば、選ばれる所見を指定するポインタや識別子の単なる蓄積リストにより、インタープリテーションサマリを記憶することができる。そしてインタープリテーションサマリは、リストの中の選択された所見のそれぞれを表示することにより作成されうる。
【００２６】
さらに、ある所見がインタープリテーションサマリに含まれるようグループボックスで選択される場合、その所見を特定するインジケータが利用される。血栓排除不能所見４２４の隣にアスタリスク５２８が表示され、この所見のインタープリテーションサマリへの表示を特定する。LV壁動作グループボックス１４９の中隔無運動所見３１０の隣にアスタリスク５３０が表示され、この所見のインタープリテーションサマリへの表示を特定する。本例では、インタープリテーションサマリに含めるためにアスタリスクが使用されているが、所見をハイライトしたり、下線を引いたりするような任意のタイプの識別子が利用可能であると考えられる。
【００２７】
もし医師の気が変わって、ある所見をインタープリテーションサマリにもはや含めることを望まない場合、医師はグループボックスでその所見を再び選べばよい。選ばれた所見はインタープリテーションサマリから自動的に削除され、グループボックスのその所見の隣のインジケータが削除される。
【００２８】
図６は、本発明の実施例による医療レポートを作成するために実行される典型的な動作を示すフローチャートである。図示された動作は、説明された通りに実行される必要はないということを当業者は認識するであろうが、本発明の単なる一実現例として与えられる。
【００２９】
図６を参照するに、工程６０１として示されるように、医療レポート作成において実行される第１工程では、レポートのタイプが選択されうる。図１に示されるレポート選択ボックス１０２は、レポートのタイプがどのように選ばれるかについての１つのアプローチを示している。さらに、本発明の実施例のいくつかは、あるタイプのレポートのみしか必要でないため、レポートタイプの選択を要求しないものもある。
【００３０】
工程６０１が完了すると、処理は工程６０２に移行し、ここで医師は選択ボタン１１７を使って、操作するレポートのセクションを選ぶことができる。図１に示される選択ボタン１１７は、セクション選択方法に関する１つのアプローチを示している。さらに、本発明の実施例の中には、工程６０２が不要な場合、１つだけのセクションしか利用されなくてもよい。
【００３１】
工程６０２が完了すると、処理は工程６０３に移行し、ここで医師はグループを選択することができる。図１に示される所見グループボックス１３９は、グループ選択方法に関する１つのアプローチを示している。医師が所見の入力のため、所望の所見グループボックス１３９が選択される。
【００３２】
工程６０３が完了すると、処理は工程６０５に移行し、ここで医師は各グループに対し適用可能な所見を選択することができる。図２に示される利用可能所見リストは、所見選択方法に関する１つのアプローチを示している。表示される利用可能所見は、選択された所見グループボックスに対応している。
【００３３】
ここで、処理は工程６０５から工程６０２または６０３に戻ってもよく、医師は任意の順序でセクションやグループに適用可能な所見を自由に選ぶことができる。
【００３４】
処理は工程６０５から工程６０７に移行し、そこで医師は工程６０５で選ばれた所見からいくつかを選択し、レポートのサマリセクションに置くことができる。
【００３５】
処理は工程６０７から工程６０９に移行し、そこで医師は選ばれている所見の選択解除を行うことができる。これは、医師の気が変わり、工程６０５において選ばれた所見がもはやサマリセクションになくてもよい場合に対応している。医師は前に選ばれた所見を単に再び選択すると、その所見はサマリセクションから自動的に削除される。
【００３６】
さらに、工程６０２から６０９は任意の順序で連続的に実行可能であり、医師は好きなように作成されたレポートを自由に改良することができる。
【００３７】
上述した工程の結果、医師は容易に医療レポートの作成を完了させることができる。医療レポートは、典型的には、その作成後印刷装置で印刷される。さらに、上述の方法により作成された医療レポートは、典型的には、フロッピー（登録商標）ディスク、ハードディスクドライブ、光学式記憶装置などのコンピュータ読み出し可能な記憶媒体に保存される。さらに、上述の方法により作成された医療レポートは、インターネット、電子ファクシミリや他の手段により離れた場所にいる読み手に利用可能とすることができる。
【００３８】
ここで、上述の方法は、典型的には、デジタルコンピュータにおいて実行される。このデジタルコンピュータは、特定タイプのコンピュータに制限されるものでなく、例えば、メインフレームコンピュータ、ミニコン、デスクトップコンピュータ、ラップトップコンピュータ、携帯情報端末（PDA）、上述の方法を実現するソフトウェアプログラムの実行が可能な他のタイプの携帯計算装置や計算装置であってもよい。典型的な場面としては、コンピュータは、標準的なMicrosoft  Windows（登録商標）ベースのオペレーティングシステムが実行されているラップトップコンピュータである。もちろん、本発明はコンピュータ上で実行される特定のオペレーティングシステムに制限されるものではない。さらに、上述のように選択されたものは、典型的には、標準的なマウスあるいはキーボードを使って実行されうる。しかしながら、トラックボールや音声入力などの他の入力装置が、上述した工程の実行のため利用されうる。さらに、医療レポートは、CRTモニタやLCDディスプレイなどの任意のタイプの出力装置や表示ユニットにおいて表示されうる。
【００３９】
さらに、上述の方法をデジタルコンピュータにおいて実現するために利用されるソフトウェアプログラムは、前に述べたものを含め任意のタイプのコンピュータ読み出し可能な記憶媒体に保存されうる。
【００４０】
本発明のいくつかの実施例が示され、説明されてきたが、本発明の原理と意図、クレームで定義される範囲、及びそれらに均等するものから逸脱することなく、これらの実施例への変更が可能であるということは当業者には理解されるであろう。
【図面の簡単な説明】
【００４１】
【図１】図１は、本発明の一実施例によるソフトウェアプログラムの動作を示す画面例であり、より詳細にはレポート領域と作業領域を示す。
【図２】図２は、本発明の一実施例によるソフトウェアプログラムの動作を示す画面例であり、より詳細には所見の選択を示す。
【図３】図３は、本発明の一実施例によるソフトウェアプログラムの動作を示す画面例であり、より詳細にはグループセクションの生成を示す。
【図４】図４は、本発明の一実施例によるソフトウェアプログラムの動作を示す画面例であり、より詳細には様々なグループセクションからの所見のリスト化を示す。
【図５】図５は、本発明の一実施例によるソフトウェアプログラムの動作を示す画面例であり、より詳細には所見のサマリへの自動コピーを示す。
【図６】図６は、本発明の一実施例による医療レポートの作成のため実行される典型的な動作を示すフローチャートである。
【図１】
2004535002.tif 000003
【図２】
2004535002.tif 000004
【図３】
2004535002.tif 000005
【図４】
2004535002.tif 000006
【図５】
2004535002.tif 000007
【図６】
2004535002.tif 000008
【国際公開パンフレット】
2004535002.tif 000009
2004535002.tif 000010
2004535002.tif 000011
2004535002.tif 000012
2004535002.tif 000013
2004535002.tif 000014
2004535002.tif 000015
2004535002.tif 000016
2004535002.tif 000017
2004535002.tif 000018
2004535002.tif 000019
2004535002.tif 000020
2004535002.tif 000021
2004535002.tif 000022
2004535002.tif 000023
2004535002.tif 000024
2004535002.tif 000025
2004535002.tif 000026
2004535002.tif 000027
2004535002.tif 000028
【国際公開パンフレット（コレクトバージョン）】
2004535002.tif 000029
【国際調査報告】
2004535002.tif 000030
2004535002.tif 000031